(57)【要約】【課題】指先を用いる細かい作業を行うことができ、光量を容易に調節でき、更に手袋を装着した状態でも使用可能な手元用照明器具を提供する。【解決手段】本発明の手元用照明器具は、伸縮性を有する円環状であり手のひら及び甲を覆うように装着される装着部と、前記装着部に取り付けられており装着時に手のひら側に位置して光を照射する照明部とを有する。装着時に照明部が手のひら側に位置するので指先の自由度が増し、細かい作業を容易に行なうことができる。また、装着部が伸縮性を有するので、手元を照らす必要がない作業を行う際には手首や腕のあたりまで移動させることができる。また、手の開き具合で光量を容易に調節できるので、従来のように光量を調節するためにスイッチを操作する場合と比較して利便性を格段に向上できる。【選択図】図１
2015069749.tif 000002
【特許請求の範囲】
【請求項１】
伸縮性を有する円環状であり手のひら及び甲を覆うように装着される装着部と、
前記装着部に取り付けられており装着時に手のひら側に位置して光を照射する照明部とを有することを特徴とする手元用照明器具。
【請求項２】
前記照明部が前記装着部に対して着脱自在であることを特徴とする請求項１に記載の手元用照明器具。
【請求項３】
前記照明部による光の照射方向が可変であることを特徴とする請求項１又は２に記載の手元用照明器具。
【請求項４】
前記装着部がシリコーンゴム製であることを特徴とする請求項１〜３のいずれか一項に記載の手元用照明器具。
【発明の詳細な説明】
【技術分野】
【０００１】
本発明は、作業者の手に装着して手元付近のみを照らす手元用照明器具に関する。
【背景技術】
【０００２】
通常、周囲が暗い状態で筆記、読書、工作、修理等の各種作業を行う際に作業者は懐中電灯やヘッドライトで手元を照らす必要がある。
しかし、懐中電灯は左右いずれかの手で持つことになるため両手を使う作業に適さないという問題があり、ヘッドライトは頭の位置をわずかに移動させただけでライトの焦点が手元からずれてしまうという問題がある。また、懐中電灯とヘッドライトのいずれも光が作業者の手元以外の広範囲に拡がるため、周囲の人に眩しい思いをさせてしまうという問題もある。
そこで、作業者の手元のみを照らすことを意図した照明器具として、伸縮性があるベルトや面ファスナーで作業者の指や手の甲にライトを巻きつけて使用する器具（特許文献１〜４参照）が知られている。
【先行技術文献】
【特許文献】
【０００３】
【特許文献１】実用新案登録第３１４０３５４号公報
【特許文献２】特開２００８−８４８４４号公報
【特許文献３】特開２０１１−６０５７６号公報
【特許文献４】特開２０１３−１４５６５８号公報
【発明の概要】
【発明が解決しようとする課題】
【０００４】
しかし、上記従来技術では以下のような問題がある。
すなわち、手の指に装着するものは、指先を用いる細かい作業を行う際に邪魔になるという問題がある。また、手の甲に装着するものはその構造上、作業者の手元以外にもある程度光が拡がってしまうため、周囲の人に眩しい思いをさせてしまうという問題は解消できない。
また、手の指に装着するものと甲に装着するものの両方とも、光量を調節する際には別途設けたスイッチを操作する必要があり煩わしいという問題や、手元を照らす必要がない作業を行う際には上記ベルト等による拘束を解除してライトを指や手から取り外す必要があり手間が掛かるという問題もある。
また、例えば病院に勤務する看護師は衛生管理の観点から半透明の薄い手袋を何度も交換しながら夜間の病室内で作業することがある。したがって、手袋を装着した状態でも使用でき、且つ手袋の交換を容易に行なうことができる手元用照明器具が有用だが、手の指に装着する照明器具の場合、ライトが手袋の指の部分に引っ掛かってしまい、手袋を装着できないという問題がある。
【０００５】
本発明は上記問題に鑑み、指先を用いる細かい作業を行うことができ、光量を容易に調節でき、更に手袋を装着した状態でも使用可能な手元用照明器具を提供することを目的とする。
【課題を解決するための手段】
【０００６】
本発明の手元用照明器具は、伸縮性を有する円環状であり手のひら及び甲を覆うように装着される装着部と、前記装着部に取り付けられており装着時に手のひら側に位置して光を照射する照明部とを有することを特徴とする。
また、前記照明部が前記装着部に対して着脱自在であることを特徴とする。
また、前記照明部による光の照射方向が可変であることを特徴とする。
また、前記装着部がシリコーンゴム製であることを特徴とする。
【発明の効果】
【０００７】
本発明の手元用照明器具は、装着時に照明部が手のひら側に位置する。したがって、指先に照明部を取り付ける場合と比較して指先の自由度が増し、細かい作業を容易に行なうことができる。
また、装着部が伸縮性を有するので、円環状の装着部を引っ張ってその径を拡げ、手元用照明器具自体を手首や腕のあたりまで移動させることができる。これによって手に何も装着していない状態になるので、より細かい作業を行うことが可能になる。
また、光量の調節に関して、手元を明るく照らしたい場合には手を大きく開き、僅かに照らしたい場合には手をすぼめ、ほぼ完全に暗くしたい場合には手で照明部を握りしめればよい。このように手全体をランプシェードのように機能させ、手の開き具合で光量を容易に調節できるので、従来のように光量調節用のスイッチを操作する場合と比較して利便性を格段に向上できる。また、作業者の手のひらで囲まれる範囲内に光が留まり、外部に光が漏れにくくなるので周囲の人に眩しい思いをさせてしまうことが無くなる。
【０００８】
また、手のひらの窪みの部分と手袋の間に生じる僅かな隙間に照明部を位置させることで照明部が引っ掛かることなく容易に手袋を嵌めることができる。つまり、手元用照明器具を手に装着した状態で手袋を使用でき、また、手袋の脱着（交換）作業も容易に行なうことができる。
また、照明部を装着部に対して着脱自在な構造にすれば、装着部のみを洗剤等で洗浄したり消毒液等に漬けて消毒することができるので衛生管理の点で好ましい。
また、照明部による光の照射方向を可変とすることで、作業者にとってより好ましい方向及び範囲のみに光を照射することができ、作業性をより向上できる。
また、装着部をシリコーンゴム製にすれば射出成型機等で容易に製造することができる、また、洗浄・消毒が容易で乾燥させ易いため衛生管理の点で好ましい。
【図面の簡単な説明】
【０００９】
【図１】手元用照明器具を表す斜視図
【図２】装着部から照明部を取り外した状態を表す斜視図
【図３】手元用照明器具を左手に装着した状態を表す図
【図４】手をすぼめた状態を表す図
【図５】手を握り締めた状態を表す図
【図６】手袋を嵌めた状態を表す図
【図７】手元用照明器具を手首の上まで移動させた状態を表す図
【図８】第２の実施の形態における照明部の構造を示す正面図（ａ）、上面図（ｂ）、左側面図（ｃ）及び光の照射方向を変えた状態を示す左側面図（ｄ）
【図９】第３の実施の形態における照明部の構造を示す斜視図（ａ）及び手元用照明器具を表す斜視図（ｂ）
【発明を実施するための形態】
【００１０】
［第１の実施の形態］
以下、図面を参照して本発明の手元用照明器具の第１の実施の形態について説明する。
図１及び図２に示すように、手元用照明器具１０は装着部２０と照明部３０から構成される。
装着部２０は伸縮性を有する円環状の部材であり、手のひらＨ及び甲を覆うように装着される。
装着部２０を形成する材料は伸縮性を有していれば特に限定されず、例えば天然ゴムや合成ゴム（ポリクロロプレンゴム、ポリブタジエンゴム、ポリイソプレンゴム、ポリイソブチレンゴム、アクリルゴム、ウレタンゴム、シリコーンゴム）等を用いることができる。また、編地で形成してもよく、例えば、毛、綿、麻、絹、アクリル、ポリアミド繊維、ポリエステル繊維、ポリウレタン繊維及びこれらの混紡、更にこれらに弾性糸を加えたものでもよい。特に装着部２０をシリコーンゴム製にすれば射出成型機等で容易に製造でき、また、衛生管理の点でも好ましい。
装着部２０の表面には開口２１が設けられており、装着部２０の側面であって開口２１の近傍には切り込み２２が設けられている。切り込み２２は装着部２０の側面から開口２１にまで至るように設けられている。
【００１１】
照明部３０は装着部２０に着脱自在に取り付けられる部材である。具体的には、照明部３０は薄型でほぼ円形の筐体３１と、筐体３１の表面に位置する光源３２、光源３２の表面を覆う透明のカバー３３、筐体３１内に格納されるスイッチ、電源供給機構（電池、駆動回路、リード線等）等から概略構成されている。
詳しい説明は省略するが、筐体３１の表面に位置する光源３２としてのＬＥＤ（Light Emitting Diode:発光ダイオード）と電池とがリード線により電気的に接続されており、光源３２への電源供給はスイッチによりコントロールされる。スイッチは周知の機構を利用すればよく、例えば筐体３１の側面にスライド式の突起を露出させておき、この突起を一方に移動させることでＯＮ、他方に移動させることでＯＦＦになるようにすればよい。あるいは、光源３２を覆うカバー３３とスイッチとを一体化させて、例えばカバー３３を一回押し下げることでＯＮになり、再度押し下げることでＯＦＦになるようにしてもよい。
【００１２】
照明部３０を装着部２０に取り付ける際には、照明部３０を装着部２０の切り込み２２にあてがい、照明部３０のカバー３３が装着部２０の開口２１から表面に露出する位置まで切り込み２２内を押し込んでいけばよい。また、照明部３０を装着部２０から取り外す際には、上記動作とは反対に、照明部３０を切り込み２２から外部に押し出せばよい。照明部３０を装着部２０に対して着脱自在にすることで装着部２０のみの洗浄・消毒が可能となる。なお、照明部３０に防水機能を持たせてもよく、この場合には照明部３０を装着部２０に取り付けた状態で洗浄・消毒することが可能になる。
【００１３】
図３は手元用照明器具１０を左手に装着した状態を示しており、装着部２０によって手のひらＨ及び甲が覆われた状態で照明部３０が手のひらＨ側に位置している。従来のように照明部３０を指先に取り付ける場合と比較して指先の自由度が増し、細かい作業を容易に行なうことができる。また、手を大きく開いたこの状態では光量が最大になり、手元を明るく且つ広範囲に照らすことができる。
図４は手をすぼめた状態を示しており、この状態では手のひらＨ及び各指によって光の拡散が遮られるため光量が少なくなり、手元を僅かに照らすことができる。
図５は手を握り締めた状態を示しており、この状態では光の拡散が完全に遮られるため光量はほぼゼロになる。
図６は手袋４０を嵌めた状態を示している。半透明の素材や軍手等の隙間が空いた編み物素材の手袋４０を使用すれば、手袋４０を嵌めた状態でも光を透過させて手元を照らすことができる。
図７は手元用照明器具１０を手首の上まで移動させた状態を示している。これにより手元用照明器具１０を使用する必要が無くなった際（例えば室内照明を点灯させたり、作業者が屋外等の周囲が明るい環境に移動した際）の作業性を向上させることができる。
【００１４】
［第２の実施の形態］
次に本発明の手元用照明器具の第２の実施の形態について説明する。
図８に示すように、本実施の形態は照明部５０が光の照射方向を変えることができる構造を有する点に特徴を有する。
具体的には、光源５１及びカバー５２が回転軸５３によって筐体５４に対して回転自在且つ回転させた位置を保持できるように支持されている。また、照明部５０を装着部２０に取り付けた状態で、照明部５０を開口２１内で回転させることができるようになっている。
このように照明部５０による光の照射方向・角度を可変とすることで、作業者にとってより好ましい方向及び範囲のみに光を照射することができ、作業性をより向上できる。
【００１５】
［第３の実施の形態］
次に本発明の手元用照明器具の第３の実施の形態について説明する。
図９（ａ）に示すように、本実施の形態の手元用照明器具６０は光源６１から照射される光の光軸Ｌが筐体６２表面の垂直方向Ｖに対して傾斜するように光源６１を筐体６２に取り付ける点に特徴を有する。
図９（ｂ）は照明部６３を装着部６４に取り付けた状態であり、装着部６４に設けた開口６５から光源６１が露出した状態になっている。
作業者は所望の照射方向になるように光源６１の向き（光軸Ｌ）を考慮しながら照明部６３を装着部６４の切り込み６６に挿入する。また、照明部６３を装着部６４に取り付けた後は、装着部６４の表面から指で照明部６３を適宜回転させて所望の照射方向に調節する。
【００１６】
なお、本発明は上記各実施の形態で示した構造に限定されるものではなく、その要旨を逸脱しない範囲内で適宜変更可能である。例えば光源３２、５１、６１としてはＬＥＤ以外に豆電球を用いてもよく、またＬＥＤや豆電球を２つ以上用いてもよい。また、カバー３３、５２にレンズ機能（集光機能）を持たせて、光源３２、５１から放射状に照射された光がカバー３３、５２を通過する際に縮径されるようにしてもよい。これによって光が手元のごく狭い範囲に集められ、手元から外部に更に漏れにくくすることができる。また、筐体３１、５４、６２の形状も円形に限らず、四角形等の多角形状や楕円形状であってもよい。
また、照明部３０、５０、６３を装着部２０、６４に対して着脱自在な構成とすることに関し、例えば照明部３０、５０、６３の裏面と装着部２０、６４の表面に面ファスナーや磁石を貼り付けて、面ファスナーや磁石同士を貼り合わせたり引き離すことで着脱自在にしてもよい。同様に照明部３０、５０、６３の表面の一部と装着部２０、６４の裏面に面ファスナーや磁石を貼り付けてもよいが、この場合には装着部２０、６４の一部に表面から裏面まで貫通する開口を設けて、この開口から照明部３０、５０、６３を露出させたり、この開口を介して照明部３０、５０、６３からの光が表面側に至るようにすればよい。
また、照明部３０、５０、６３と装着部２０、６４は必ずしも着脱自在にする必要はなく、接着剤等の周知の固定手段により照明部３０、５０、６３を装着部２０、６４に固着してもよい。
また、装着部２０、６４は必ずしもシリコーンゴム等で円環状にする必要はなく、帯状の部材の両端同士を面ファスナーやオス・メスのホック等を用いて連結することで円環状に形成してもよい。
【産業上の利用可能性】
【００１７】
本発明は、指先を用いる細かい作業を行うことができ、光量を容易に調節でき、更に手袋を装着した状態でも使用可能な手元用照明器具に関するものであり、産業上の利用可能性を有する。
【符号の説明】
【００１８】
Ｈ    手のひら
１０  手元用照明器具
２０  装着部
２１  開口
２２  切り込み
３０  照明部
３１  筐体
３２  光源
３３  カバー
４０  手袋
５０  照明部
５１  光源
５２  カバー
５３  回転軸
５４  筐体
６０  手元用照明器具
６１  光源
６２  筐体
６３  照明部
６４  装着部
６５  開口
６６  切り込み
【図１】
2015069749.tif 000003
【図２】
2015069749.tif 000004
【図３】
2015069749.tif 000005
【図４】
2015069749.tif 000006
【図５】
2015069749.tif 000007
【図６】
2015069749.tif 000008
【図７】
2015069749.tif 000009
【図８】
2015069749.tif 000010
【図９】
2015069749.tif 000011